(57)【要約】【課題】面ファスナ等の止着材を剥離するときに利用する摘まみ片について、摘まみやすく引っ張りやすく、しかも摘まみ片を摘まんで引っ張ったときにテープ基材が止着材から剥がれてしまうことがない構造の止着テープおよびこの止着テープを備える使い捨ておむつを提供する。【解決手段】使い捨ておむつの後身頃と前身頃とを固定するための止着テープであって、後身頃の側辺部に取り付けられるテープ基材の一面上に止着材が接合されている止着テープにおいて、テープ基材は、止着材よりもテープ先端側へ突出する基材先端部を一体に有する。基材先端部は、止着材側へ折り返されて止着材の表面の一部を覆うとともに止着材の表面上に接合される。止着材は、基材先端部によって覆われた領域において相手方の止着材に止着されず止着材剥離時の摘まみ片とされる。【選択図】図５
2015093111.tif 000002
【特許請求の範囲】
【請求項１】
使い捨ておむつの後身頃と前身頃とを固定するための止着テープであって、前記後身頃の側辺部に取り付けられるテープ基材の一面上に止着材が接合されている止着テープにおいて、
前記テープ基材は、前記止着材よりもテープ先端側へ突出する基材先端部を一体に有し、
前記基材先端部は、前記止着材側へ折り返されて前記止着材の表面の一部を覆うとともに前記止着材の表面上に接合され、
前記止着材は、前記基材先端部によって覆われた領域において相手方の止着材に止着されず止着材剥離時の摘まみ片とされることを特徴とする止着テープ。
【請求項２】
請求項１記載の止着テープにおいて、
前記基材先端部は、前記止着材の幅寸法の１／２以下の領域にて前記止着材の表面を覆っていることを特徴とする止着テープ。
【請求項３】
請求項１または２記載の止着テープにおいて、
前記基材先端部は、その一面上に設定した止着機能により前記止着材の表面上に接合され、または接着、圧着、融着もしくは溶着による固定手段により前記止着材の表面上に接合されていることを特徴とする止着テープ。
【請求項４】
請求項１ないし３のいずれか１項に記載の止着テープにおいて、
前記摘まみ片は、前記テープ基材、止着材の基材部、止着材の止着片部および基材先端部の積層構造よりなることを特徴とする止着テープ。
【請求項５】
請求項１ないし４のいずれか１項に記載の止着テープを当該おむつの左右で対称に備えることを特徴とする使い捨ておむつ。
【発明の詳細な説明】
【技術分野】
【０００１】
本発明は、止着テープおよびこの止着テープを備える使い捨ておむつに関する。
【背景技術】
【０００２】
従来から図７に示すように、平形の使い捨ておむつ５１の後身頃５１ａと前身頃５１ｂとを固定するために用いられる止着テープ６１であって、後身頃５１ａの側辺部に取り付けられるシート状のテープ基材６２を有し、このテープ基材６２の一面上に面ファスナの一方を構成する止着材６３を接合した構造の止着テープ６１が知られている（特許文献１参照）。
【０００３】
上記面ファスナの一方を構成する止着材６３は、所定の幅寸法ｗ０を有し、その全幅に亙って、前身頃５１ｂの外面に接合された面ファスナの他方を構成する止着材７１に対し止着される。
【０００４】
また、テープ基材６２には、止着材６３よりもテープ先端側へ突出する基材先端部６２ａが設けられ、この基材先端部６２ａが、一対の止着材６３，７１よりなる面ファスナを剥離する（引き剥がす）ときの摘まみ片６４として利用される。
【０００５】
しかしながら、この従来技術においては上記したように、面ファスナを剥離するときに利用される摘まみ片６４がテープ基材６２の基材先端部６２ａのみによって構成されているため、以下のような不都合がある。
【０００６】
すなわち、テープ基材６２は一般に不織布などの薄く柔らかい素材シートによって形成されている。したがって摘まみ片６４も薄く柔らかいため、摘まみ片６４はこれを摘まみにくく引っ張りにくい。
【０００７】
また、面ファスナを剥離する際に摘まみ片６４を摘まんで引っ張るとき、止着材６３は直接摘ままれることがなく引っ張られることがない。したがってテープ基材６２と止着材６３との接合強度が小さく止着材６３，７１同士の止着強度が大きい場合、止着材６３，７１同士は止着したままで、テープ基材６２が止着材６３から剥がれてしまうことがある。
【先行技術文献】
【特許文献】
【０００８】
【特許文献１】特開平１１−４２２４９号公報
【発明の概要】
【発明が解決しようとする課題】
【０００９】
本発明は以上の点に鑑みて、面ファスナ等の止着材を剥離するときに利用する摘まみ片について、摘まみやすく引っ張りやすく、しかも摘まみ片を摘まんで引っ張ったときにテープ基材が止着材から剥がれてしまうことがない構造の止着テープおよびこの止着テープを備える使い捨ておむつを提供することを目的とする。
【課題を解決するための手段】
【００１０】
上記目的を達成するため、本発明の請求項１による止着テープは、使い捨ておむつの後身頃と前身頃とを固定するための止着テープであって、前記後身頃の側辺部に取り付けられるテープ基材の一面上に止着材が接合されている止着テープにおいて、前記テープ基材は、前記止着材よりもテープ先端側へ突出する基材先端部を一体に有し、前記基材先端部は、前記止着材側へ折り返されて前記止着材の表面の一部を覆うとともに前記止着材の表面上に接合され、前記止着材は、前記基材先端部によって覆われた領域において相手方の止着材に止着されず止着材剥離時の摘まみ片とされることを特徴とする。
【００１１】
また、本発明の請求項２による止着テープは、上記した請求項１記載の止着テープにおいて、前記基材先端部は、前記止着材の幅寸法の１／２以下の領域にて前記止着材の表面を覆っていることを特徴とする。
【００１２】
また、本発明の請求項３による止着テープは、上記した請求項１または２記載の止着テープにおいて、前記基材先端部は、その一面上に設定した止着機能により前記止着材の表面上に接合され、または接着、圧着、融着もしくは溶着による固定手段により前記止着材の表面上に接合されていることを特徴とする。
【００１３】
また、本発明の請求項４による止着テープは、上記した請求項１ないし３のいずれか１項に記載の止着テープにおいて、前記摘まみ片は、前記テープ基材、止着材の基材部、止着材の止着片部および基材先端部の積層構造よりなることを特徴とする。
【００１４】
更にまた、本発明の請求項５による使い捨ておむつは、上記した請求項１ないし４のいずれか１項に記載の止着テープを当該おむつの左右で対称に備えることを特徴とする。
【００１５】
上記構成を備える本発明の止着テープにおいては、テープ基材の一面上に止着材が接合されるとともにテープ基材に止着材よりもテープ先端側へ突出する基材先端部が一体に設けられていると云う前提のもとで、テープ基材の基材先端部が止着材側へ折り返されて止着材の表面の一部を覆うとともに止着材の表面上に接合され、止着材が基材先端部によって覆われた領域において止着機能を停止して相手方の止着材に止着されず止着材剥離時の摘まみ片とされているために、テープ基材、止着材および基材先端部が重ねられた積層構造よりなる摘まみ片が形成されている。したがってこの積層構造よりなる摘まみ片は、従来の１層構造よりなる摘まみ片と比較して厚く剛性を備えているため、これを手指で摘まむ際に摘まみやすく引っ張りやすい。また、止着材も摘まみ片の一部として止着材を剥離するときに摘ままれ引っ張られるため、テープ基材のみが引き剥がされて止着材が残されると云う事態が発生することがない。
【００１６】
基材先端部は、止着材の幅寸法の１／２以下の領域にて止着材の表面を覆うのが好適であり、基材先端部による被覆領域がこれ以上拡大すると、止着材本来の機能である止着機能に支障を来たすおそれがある。
【００１７】
また、基材先端部は、その一面上に止着機能が設定されている場合にこの止着機能を利用して止着材の表面上に接合されるが、さらに強力な接合を求める場合には、接着、圧着、融着（熱融着を含む）もしくは溶着（超音波による溶着を含む）による固定手段により止着材の表面上に接合される構造としても良い。
【００１８】
尚、上記説明では、摘まみ片は、テープ基材、止着材および基材先端部が重ねられた積層構造よりなるとしたが、止着材が面ファスナである場合、面ファスナの多くはシート状の基材部とこの基材部の平面上に設けられた止着片部とを有しているので、これらを別々に数えるとすると、摘まみ片は構成要素ごとにテープ基材、止着材の基材部、止着材の止着片部および基材先端部よりなる４層の積層構造とされる。
【００１９】
本発明の止着テープは、使い捨ておむつに利用される。使い捨ておむつでは、これを使用する者の左右の脇腹部にて前身頃と後身頃とを固定するため、止着テープはおむつの左右で対称に備えられる。
【発明の効果】
【００２０】
本発明は、以下の効果を奏する。
【００２１】
すなわち本発明においては以上説明したように、テープ基材、止着材および基材先端部が積層された積層構造よりなる摘まみ片が形成され、この積層構造よりなる摘まみ片は厚く剛性を備えているため、摘まみやすく引っ張りやすい。また、止着材も摘まみ片の一部とされて止着材の剥離時に摘ままれ引っ張られるため、テープ基材のみが引き剥がされて止着材が残されると云う事態が発生せず、両者が分離することがない。したがって本発明所期の目的どおり、止着材を剥離するときに利用する摘まみ片について、摘まみやすく引っ張りやすく、しかも摘まみ片を摘まんで引っ張ったときにテープ基材が止着材から剥がれてしまうことがない構造の止着テープを提供することができる。
【００２２】
また、基材先端部による被覆領域を止着材の幅寸法の１／２以下の領域に設定することにより、止着材本来の機能である止着機能を十分に確保することでき、接着、圧着、融着もしくは溶着による固定手段により基材先端部を止着材の表面上に接合することにより、両者を強固に接合することができる。また、止着材が基材部および止着片部を有する場合には、構成要素ごとに４層に及ぶ積層構造よりなる摘まみ片を設定することができる。
【図面の簡単な説明】
【００２３】
【図１】本発明の実施例に係る止着テープおよび使い捨ておむつの肌面側の面を示す平面図
【図２】同止着テープおよび使い捨ておむつの非肌面側の面を示す平面図
【図３】同止着テープおよび使い捨ておむつの斜視図
【図４】同止着テープおよび使い捨ておむつの要部拡大平面図
【図５】（Ａ）は同止着テープおよび使い捨ておむつの断面構造を示す説明図であって図４におけるＡ−Ａ線拡大断面図、（Ｂ）は同止着テープにおける基材先端部を折り返す前の状態を示す説明図
【図６】同止着テープを相手止着材に対し止着した状態を示す説明図
【図７】従来例に係る止着テープおよび使い捨ておむつの全体斜視図
【発明を実施するための形態】
【００２４】
つぎに本発明の実施例を図面にしたがって説明する。
【００２５】
図１ないし図３は、本発明の実施例に係る止着テープ２１およびこの止着テープ２１を備える使い捨ておむつ１の全体を示している。使い捨ておむつ１は、おむつ本体１１を有し、このおむつ本体１１の左右側辺部にそれぞれ止着テープ２１が取り付けられている。
【００２６】
おむつ本体１１は、その内面側に位置する液透過性のトップシート１２と、外面側に位置する液不透過性のバックシート１３と、これら両シート１２，１３間に位置する吸収体（図示せず）とをホットメルト等の接着剤を介して一体化したものとされている。また、おむつ本体１１は、所定の大きさ（大きさは限定されない）に形成され、後身頃１１ａと前身頃１１ｂとを有し、これらの略中間に位置して股下部１１ｃを備えた平形に形成されている。
【００２７】
上記液透過性のトップシート１２は例えば、織布、不織布または多孔性の軟質樹脂フィルム等よりなる。液不透過性のバックシート１３は例えば、ポリエチレン等の軟質樹脂フィルム等よりなる。吸収体は例えば、パルプを主材として高分子吸水ポリマーを併用したものよりなり、そのほか熱可塑性樹脂、セルロース繊維、高分子吸収ポリマーの混合物を熱処理したもの等であっても良い。高分子吸水ポリマーは、自重の２０倍以上の液体を吸収して保持する性能を有し、ゲル化する性質を有する粒子状のものが好ましい。
【００２８】
トップシート１２の左右側辺部に、漏れ防止用の立体ギャザー１４が設けられている。また装着性を高めるため、立体ギャザー１４の左右外側に位置してレッグギャザー１５が設けられ、後身頃１１ａの上辺部に位置してウエストギャザー１６が設けられている。
【００２９】
上記したように、おむつ本体１１の左右側辺部にそれぞれ止着テープ２１が取り付けられ、すなわち上記後身頃１１ａの左右側辺部にそれぞれ止着テープ２１が取り付けられている。
【００３０】
図４に拡大して示すように、止着テープ２１は、後身頃１１ａの側辺部に取り付けられたシート状のテープ基材２２を有し、このテープ基材２２の一面（肌面側の面）上に面ファスナの一方（一方の要素）を構成する止着材２３が接合されている。またテープ基材２２は、所定の縦横寸法を備える平面略長方形のシート状とされ、その先端部（後身頃１１ａより遠い方の端部、図では右端部）に平面略台形の突片（タブ）２２ａが複数（図では２片）設けられているので、この突片２２ａの一面（肌面側の面）上にそれぞれ面ファスナの一方を構成する止着材２３が接合されている。
【００３１】
テープ基材２２としては例えば、樹脂フィルムまたは不織布シート等を単独で或いは数種類を積層して使用することができ、好ましくは坪量４０〜１５０ｇ／ｍ２、一層好ましくは坪量４０〜８０ｇ／ｍ２の単層または複層の不織布を用いることが好ましい。その不織布加工法としては、強度特性に優れたスパンボンド法を適用することが可能である。
【００３２】
止着材２３としては図５の概略断面に示すように、シート状の基材部２３ａを有し、この基材部２３ａの一面上に全面に亙って、面ファスナの一方を構成する雄側の止着片部（フック部）２３ｂを設けたものとされている。基材部２３ａは接着剤（常温で使う普通の接着剤および熱溶融して使うホットメルト接着剤を含む）２４を介してテープ基材２２の一面上に接合され、またはヒートシール接着等にてテープ基材２２の一面上に接合されている。止着片部２３ｂは、図１に示した前身頃１１ｂの外面に接合された面ファスナの他方（他方の要素）を構成する止着材１７の雌側の止着片部（ループ部）に対して剥離可能に止着（係合）される。
【００３３】
また図５の概略断面に示すように、テープ基材２２は、止着材２３よりもテープ先端側（図では右方）へ突出する基材先端部（折り返した部）２２ｂを一体に有し、この基材先端部２２ｂが止着材２３側へ折り返されることにより止着材２３の表面の一部を覆うとともに止着材２３の表面上に接合されている。
【００３４】
すなわち図５（Ｂ）に示すようにテープ基材２２は、止着材２３よりもテープ先端側へ向けて所定の幅寸法ｗ１突出する基材先端部２２ｂを一体に有している。この基材先端部２２ｂは、矢印Ｄをもって示すようにその根元部２２ｃで止着材２３側へ向けて略１８０度折り返され、図５（Ａ）に示すように止着材２３の表面の一部を覆うとともに止着材２３の表面上に接合されている。尚、上記したように止着材２３は突片２２ａの一面上に接合されているので、基材先端部２２ｂは突片２２ａの先端部に設けられている。
【００３５】
また、上記したように止着材２３はシート状の基材部２３ａの一面上に全面に亙って止着片部２３ｂを設けたものとされているので、折り返された基材先端部２２ｂは止着片部２３ｂの表面の一部を覆うとともに止着片部２３ｂの表面上に接合されている。
【００３６】
接合の手段として、基材先端部２２ｂの一面上に止着機能（面ファスナの雌側機能）が設定されている場合にはこの止着機能によって接合することも可能であるが、その有無にかかわらず一層強固な接合とするには、接着剤による接着、下圧による圧着、加熱による融着もしくは超音波による溶着等の手段とするのが適しており、これらの手段によれば、折り返され接合された基材先端部２２ｂが止着材２３から剥がれるのを略完全に防止することができる。
【００３７】
一方、止着材２３は、基材先端部２２ｂによって覆われた領域において止着機能（面ファスナ機能）を停止して相手方の止着材１７に止着されないことにより、止着材１７，２３同士を剥離するときに用いられる摘まみ片２５とされている。摘まみ片２５は、構成要素ごとにテープ基材２２、止着材２３の基材部２３ａ、止着材２３の止着片部２３ｂおよび基材先端部２２ｂよりなる４層の積層構造とされている（上記したようにテープ基材２２およびその一部である基材先端部２２ｂはこれら自体が不織布等による積層構造とされることがあるが、ここではこれらの単層・積層構造にかかわらず、これらを１つの構成要素として数えている）。
【００３８】
また、基材先端部２２ｂが止着材２３の表面の一部を覆う領域の幅寸法ｗ２は、止着材２３の幅寸法ｗ３の１／２以下とされている。したがって止着材２３はその全幅のうち、１／２以下の領域で摘まみ片２５とされ、残りの部分で止着機能（面ファスナ機能）を発揮する。摘まみ片２５を摘まみやすいものとするためには、基材先端部２２ｂが止着材２３の表面の一部を覆う領域の幅寸法ｗ２はこれを実寸で３ｍｍ以上とするのが好ましい。
【００３９】
上記構成を備える止着テープ２１および使い捨ておむつ１によると、以下の作用効果が発揮される。
【００４０】
すなわち上記構成の止着テープ２１においては、テープ基材２２の一面上に止着材２３が接合されるとともにテープ基材２２に止着材２３よりもテープ先端側へ突出する基材先端部２２ｂが一体に設けられていると云う前提のもと、テープ基材２２の基材先端部２２ｂが止着材２３側へ折り返されることにより止着材２３の表面の一部を覆うとともに止着材２３の表面上に接合され、止着材２３が基材先端部２２ｂによって覆われた領域において止着機能を停止して相手方の止着材１７に止着されないことにより止着材剥離時の摘まみ片２５とされているため、テープ基材２２、止着材２３および基材先端部２２ｂが重ねられた積層構造よりなる摘まみ片２５が形成されている。したがってこの積層構造よりなる摘まみ片２５は、従来の１層構造よりなる摘まみ片と比較して厚く剛性を備えているため、これを手指で摘まむ際に摘まみやすく引っ張りやすい。また、止着材２３も摘まみ片２５の一部として止着材２３を剥離するときに摘ままれ引っ張られるため、テープ基材２２のみが引き剥がされて止着材２３が残されると云う事態が発生することがない。したがって本発明所期の目的どおり、止着材２３を剥離するときに利用する摘まみ片２５について、摘まみやすく引っ張りやすく、しかも摘まみ片２５を摘まんで引っ張ったときにテープ基材２２が止着材２３から剥がれてしまうことがない構造の止着テープ２１を提供することができる。
【００４１】
また、基材先端部２２ｂによる被覆領域の幅寸法ｗ２が止着材２３の幅寸法ｗ３の１／２以下とされているために、止着材２３本来の機能である止着機能を十分に確保することでき、接着、圧着、融着もしくは溶着による固定手段により基材先端部２２ｂが止着材２３の表面上に接合されているために、両者２２ｂ，２３を強固に接合することができる。また、面ファスナの一方の要素を構成する止着材２３が基材部２３ａおよび止着片部２３ｂを有しているために、構成要素ごとに４層に及ぶ積層構造よりなる摘まみ片２５が設定され、よって摘まみ片２５を比較的厚く硬いものとすることができる。
【００４２】
また図６に示すように、止着テープ２１がその止着材２３をもって相手方の止着材１７に止着されると、止着材１７，２３同士の間に基材先端部２２ｂが挟み込まれた状態となるため、この基材先端部２３ｂの厚み分、摘まみ片２５は相手方の止着材１７の表面に対して持ち上げられた状態となり、角度θをもつこともある。したがって摘まみ片２５が持ち上げられた状態で止着され、摘まみ片２５の先端が斜め上方へ向いた状態で止着されることもあるため、摘まみ片２５はこれを一層摘まみやすい（相手方の止着材１７と基材先端部２２ｂとの間に隙間ｃが形成されるため、この隙間ｃに手指の先を差し込みやすい）。
【００４３】
更にまた、上記構成の止着テープ２１においては、平面台形の突片２２ａの先端に基材先端部２２ｂが設定されているため、図４に示したようにこの基材先端部２２ｂはこれも平面台形とされ、このように平面台形とされる基材先端部２２ｂが折り返されて止着材２３に接合されると、基材先端部２２ｂの両側に位置して平面三角形を呈する止着材２３の露出部２３ｃが残され、この露出部２３ｃでは止着材２３の止着機能が停止されずに維持されることになる。したがってこの平面三角形の露出部２３ｃは相手方の止着材１７に止着可能とされるため、この露出部２３ｃを仮止め部として利用することができる（摘まみ片２５は基材先端部２２ｂが折り返された部分で相手方の止着材１７に止着されないが、その両側に位置する平面三角形の露出部２３ｃではこの部分に限って相手方の止着材１７に止着可能とされる。したがって摘まみ片の全体としては一部に限って相手方の止着材１７に止着されるため、摘まみ片２５が意図せず折り曲がったり捲り返ったりするのを予防することができる）。
【００４４】
尚、上記実施例において、テープ基材２２の外面（図５（Ａ）（Ｂ）における下面）に面ファスナの雌機能を設定する（ループ加工する）と、使い捨ておむつ１において左右一対備えられる止着テープ２１，２１同士を重ね貼りすることが可能とされる。したがってウエストが細い人でも装着感良く当該使い捨ておむつ１を使用することができる。
【００４５】
また上記実施例では、止着材２３による止着機能を面ファスナによる止着機能としたが、止着材２３による止着機能はこのほか、粘着剤や粘着テープによる止着機能等であっても良い。
【産業上の利用可能性】
【００４６】
本発明の使い捨ておむつは、特に、大人用の使い捨ておむつとして用いられるのに適しているが、その用途を限定するものではない。
【符号の説明】
【００４７】
１  使い捨ておむつ
１１  おむつ本体
１１ａ  後身頃
１１ｂ  前身頃
１１ｃ  股下部
１２  トップシート
１３  バックシート
１４  立体ギャザー
１５  レッグギャザー
１６  ウエストギャザー
１７，２３  止着材
２１  止着テープ
２２  テープ基材
２２ａ  突片
２２ｂ  基材先端部
２２ｃ  根元部
２３ａ  基材部
２３ｂ  止着片部
２３ｃ  露出部
２４  接着剤
２５  摘まみ片
【図１】
2015093111.tif 000003
【図２】
2015093111.tif 000004
【図３】
2015093111.tif 000005
【図４】
2015093111.tif 000006
【図５】
2015093111.tif 000007
【図６】
2015093111.tif 000008
【図７】
2015093111.tif 000009